(57)【特許請求の範囲】
【請求項１】
電子マネー用ＩＣカードと紙幣を同時に挿入するまたは放出する共通化した挿入・放出口と、
前記挿入・放出口に重ね合わせて同時に挿入された前記ＩＣカードと前記紙幣をその寸法の違いを識別して弁別すると共に、前記挿入・放出口から前記ＩＣカードと前記紙幣を放出しようとするとき前記ＩＣカードと前記紙幣とを重ね合わせて同時に放出するＩＣカード／紙幣弁別・重合手段と、
を備えることを特徴とするＩＣカードチャージ装置。
【請求項２】
挿入された前記ＩＣカードに対して、挿入された前記紙幣および選択された金額情報に基づいて当該金額に対応するチャージを行い、その後、チャージ済みの前記ＩＣカードと釣り紙幣を放出して返却するように構成され、
前記ＩＣカード／紙幣弁別・重合手段は、前記釣り紙幣と前記チャージ済みＩＣカードとを重ね合わせて同時に放出するように構成されることを特徴とする請求項１記載のＩＣカードチャージ装置。
【請求項３】
自動券売機に組み込まれてＩＣカードチャージ機能部として構成されることを特徴とする請求項１または２記載のＩＣカードチャージ装置。
【発明の詳細な説明】
【技術分野】
【０００１】
本発明はＩＣカードチャージ装置に関し、特に、自動券売機等に組み込まれたＩＣカードチャージ機能部等のごとく電子マネーとして機能するＩＣカードに対し増額のチャージを行う際に釣り札の抜き取り忘れを確実に防止し得る仕組みを有したＩＣカードチャージ装置に関する。
【背景技術】
【０００２】
近年の自動改札機では乗車券として電子マネー用ＩＣカードが主流として利用されている。当該ＩＣカードの利用では、事前に実際の金銭を残高ポイント（電子マネー）として電気的に変換しチャージしておくことが必要となる。ＩＣカードに対して増額のチャージを行う場合には、自動券売機に組み込まれたＩＣカードチャージ機能部、あるいは専用のＩＣカードチャージ装置が利用される。例えば自動券売機等のＩＣカードチャージ機能部によれば、利用者は、自動券売機の表示・操作部でチャージ機能を選択し、機械側の指示に従って、所持するＩＣカードをＩＣカード用挿入口に挿入し、次いで選択指示した金額に係る必要な紙幣を紙幣用挿入口に挿入する。機械側でチャージ処理が終了すると、チャージが完了したＩＣカードと釣り札が別々に設けられた各挿入口から同時に放出される。通常的には、利用者は、ＩＣカードと釣り札を抜き取り、自動券売機の場所から離れることになる。
【０００３】
ＩＣカード返却の際の紙幣等の取り忘れ防止技術に類似または関連する従来技術として特許文献１〜３に開示される技術が存在する。特許文献１に開示される自動券売機では、機械本体に挿入されたクレジットカードに基づいて乗車券を発行する構成を有し、さらにカード挿入口に返却されたクレジットカードが抜き取られたことを条件にして機械内部で保留された乗車券および利用明細書を発券口に排出するという構成を有している。これによりクレジットカードの取り忘れを確実に防止するようにしている。特許文献２に開示される硬貨処理装置では、自動券売機等において返却口に返却された硬貨が所定時間存在することを検出した場合には、取り忘れとして回収機構により機械本体内に回収するように構成している。これにより自動券売機等での取り忘れのつり銭が次客によって持ち去られるのを防止する。特許文献３に開示されるカード処理装置では、自動券売機等においてカード挿入口に排出されたカードの存在が所定時間検出されたときには、カードの取り忘れとして当該カードを回収する構成を有している。これによりカードの取り忘れによる機器の異常停止を防止する。
【先行技術文献】
【特許文献】
【０００４】
【特許文献１】特開平１０−３３４２８４号公報
【特許文献２】特開平０７−３２０１０９号公報
【特許文献３】特開平０７−３２０００４号公報
【発明の概要】
【発明が解決しようとする課題】
【０００５】
上記の構造を有した自動券売機のＩＣカードチャージ機能部によれば、ＩＣカードと釣り札の抜き取りに関して、従来、次のような問題が提起されていた。
（１）旅客が例えば５０００円札を挿入しかつ３０００円のチャージ金額ボタンを選択すると、自動券売機からは、チャージを完了したＩＣカードと２０００円の釣り札とが同時に放出される。すると、旅客は目的物であるＩＣカードのみを抜き取り、釣り札の抜き取りを忘れ、当該釣り札が自動券売機に放置される。
（２）旅客は、５０００円札を挿入して５０００円分のチャージを行おうしたが、誤って３０００円のチャージ金額ボタンを選択したため、自動券売機は３０００円分のチャージが行われたＩＣカードと２０００円の釣り札とを同時に放出する。旅客は、自分の操作誤りに気づかず、５０００円分のチャージが行われたと思い込み、ＩＣカードのみを抜き取り、釣り札の抜き取りを忘れ、当該釣り札が自動券売機に放置される。
（３）旅客がＩＣカードと紙幣の挿入を行い所定の画面操作処理を行ったが、自動券売機の挿入媒体判定処理では、旅客の画面操作と媒体挿入との間の不整合を検知して旅客からの再挿入を促す自動返却処理を行う場合がある。この際に、旅客はＩＣカードへのチャージが完了したものと勘違いしてＩＣカードのみを抜き取り、返却された紙幣を取り忘れることが発生する。
【０００６】
上記の通り、従来の自動券売機によるＩＣカードチャージ機能部の構造および動作特性によれば、ＩＣカード用と紙幣用の２つの挿入・放出口を有し、返却時には各放出口からＩＣカードと紙幣が同時に放出されるという動作特性となっているため、利用者は目的物であるＩＣカードの取得のみに関心を持ち、紙幣を取り忘れるという問題が生じた。問題の発生原因は主に利用者自身の不注意に基づくものであるが、公共機関であるサービス提供者側に対してはＩＣカードチャージ機能を有する端末機械側の構造および放出動作特性に関して改善が強く望まれている。この点は、一般的に専用のＩＣカードチャージ装置であっても同様に求められている。前述した特許文献２，３に開示される従来技術では、発明の課題が異なるので上記の問題を改善することができない。また特許文献１によれば、基本的に返却されたクレジットカードの取り忘れを防止することであり、チャージ時のＩＣカードとチャージの際の釣り札との関係を取り扱っているものではない。
【０００７】
本発明の目的は、上記の課題に鑑み、ＩＣカードチャージ機能を有する組込み用装置または専用装置であって、ＩＣカードにチャージを行う場合に放出された釣り札等の紙幣の取り忘れを確実に防止することができるＩＣカードチャージ装置を提供することにある。
【課題を解決するための手段】
【０００８】
本発明に係るＩＣカードチャージ装置は、上記の目的を達成するため、次のように構成される。
【０００９】
第１のＩＣカードチャージ装置（請求項１に対応）は、
電子マネー用ＩＣカードと紙幣を同時に挿入するまたは放出する共通化した挿入・放出口と、
挿入・放出口に重ね合わせて同時に挿入されたＩＣカードと紙幣をその寸法の違いを識別して弁別すると共に、挿入・放出口からＩＣカードと紙幣を放出しようとするときＩＣカードと紙幣とを重ね合わせて同時に放出するＩＣカード／紙幣弁別・重合手段と、
を備えることによって構成される。
【００１０】
上記のＩＣカードチャージ装置では、例えばＩＣカードにチャージを完了した後、チャージ済みのＩＣカードと釣り札等とを放出して利用者に返却する場合に、紙幣とＩＣカードを重ね合わせて同時に放出するようにしたため、利用者の紙幣（釣り札等）の取り忘れを確実に防止することができる。
【００１１】
第２のＩＣカードチャージ装置（請求項２に対応）は、上記の構成において、好ましくは、挿入されたＩＣカードに対して、挿入された紙幣および選択された金額情報に基づいて当該金額に対応するチャージを行い、その後、チャージ済みのＩＣカードと釣り紙幣を放出して返却するように構成され、ＩＣカード／紙幣弁別・重合手段は、釣り紙幣とチャージ済みＩＣカードとを重ね合わせて同時に放出するように構成される。
【００１２】
この構成によれば、特に、ＩＣカードのチャージの際、釣り札の取り忘れが頻発するので、このような釣り札の取り忘れを確実に防止することが可能となる。
【００１３】
第３のＩＣカードチャージ装置（請求項３に対応）は、上記の構成において、好ましくは、自動券売機に組み込まれてＩＣカードチャージ機能部として構成されることを特徴としている。
【発明の効果】
【００１４】
本発明によるＩＣカードチャージ装置によれば、例えばＩＣカードチャージ装置が組み込まれた自動券売機等において、１つの共通の挿入・放出口が設けられている場合にも、ＩＣカードと紙幣を放出する場合には先ず最初に紙幣を放出し、当該紙幣が利用者に抜き取られたことを条件にして次にＩＣカードを放出するようにしたため、確実に紙幣の抜き取りを利用者に行わせることができ、紙幣の取り忘れを確実に防止することができる。
【００１５】
さらに、特に１つの共通の挿入・放出口が設けられている場合には、ＩＣカード／紙幣弁別・重合手段によりＩＣカードと紙幣を重ね合わせて同時に放出できるようにしたため、紙幣の取り忘れを確実に防止することができる。
【図面の簡単な説明】
【００１６】
【図１】本発明に係るＩＣカードチャージ装置の第１の実施形態を示し、当該ＩＣカードチャージ装置の機能を組み込んだ自動券売機の全体の外観を示す正面図である。
【図２】自動券売機の接客部と各種挿入・放出部の外観を示す正面図である。
【図３】自動券売機の内部構造を示す当該自動券売機の背面図である。
【図４】自動券売機の内部構造を示す当該自動券売機の側面図である。
【図５】自動券売機内の各種機能部を示すブロック図である。
【図６】自動券売機内に組み込まれたＩＣカードチャージ装置の部分の構成を示すブロック図である。
【図７】自動券売機内に組み込まれたＩＣカードチャージ装置の動作の流れを示すフローチャートである。
【図８】本発明に係るＩＣカードチャージ装置の第２の実施形態を示し、自動券売機に組み込まれたＩＣカードチャージ装置であって、ＩＣカードと紙幣を１つの共通の挿入・放出口で順次に挿入・放出する構造を有したＩＣカードチャージ装置の構成を示すブロック図である。
【図９】第２の実施形態に係るＩＣカードチャージ装置の動作の流れを示すフローチャートである。
【図１０】本発明に係るＩＣカードチャージ装置の第３の実施形態を示し、自動券売機に組み込まれたＩＣカードチャージ装置であって、ＩＣカードと紙幣を１つの共通の挿入・放出口で重ね合わせてまとめて同時に挿入・放出する構造を有したＩＣカードチャージ装置の構成を示すブロック図である。
【図１１】第３の実施形態に係るＩＣカードチャージ装置の動作の流れを示すフローチャートである。
【発明を実施するための形態】
【００１７】
以下に、本発明の好適な実施形態（実施例）を添付図面に基づいて説明する。
【００１８】
図１〜図７を参照して、本発明に係るＩＣカードチャージ装置の第１の実施形態を説明する。図１〜図７に示された装置は、駅の改札口の周辺に設置され、乗車券等を発券する機能を有すると共にＩＣカードにチャージを行う機能を有した自動券売機１０である。自動券売機１０の外部および内部の構造としてＩＣカードチャージ装置の構造部および機能部が組み込まれている。この自動券売機１０は、従来から使用されている装置であり、ＩＣカード用の挿入・放出口と、紙幣用の挿入・放出口とをそれぞれ別々に備えている。以下に、図を参照して詳述する。
【００１９】
図１において、自動券売機１０の正面部の主に上半分には接客部１１が設けられている。接客部１１には、上側の表示・タッチ操作部１２と、下側の各種の挿入・放出口および返却部を備えた領域１３とが設けられている。上側の表示・タッチ操作部１２は主にカラー液晶ディスプレイパネルとタッチパネルとを重ね合わせたパネル部材により形成されている。下側の領域１３には、ＩＣカード用挿入・放出口１４と、紙幣用挿入・放出口１５と、硬貨投入口１６と、硬貨返却部１７と、乗車券および領収書の受取り口１８とが設けられている。
【００２０】
なお、上記の紙幣のための挿入・放出口１５については、説明の便宜上、挿入口と放出口として同じ口部を用いることで説明するが、挿入口と放出口を別々にすることも可能である。挿入口と放出口が別の場所にある場合には、紙幣用挿入・放出口１５は２箇所の口部を有することになる。この場合、釣り札の紙幣はお釣り用の口部から放出される。
【００２１】
図２に接客部１１を拡大して示す。接客部１１の表示・タッチ操作部１２は、カラー液晶ディスプレイパネルとタッチパネルを重ね合わせて形成されている。表示・タッチ操作部１１では、カラー液晶ディスプレイパネル上にボタン画像として表示された複数の選択ボタンのいずれかを指先でタッチすることにより、選択した対象に係る機能を確定する処理が実行される。この選択ボタンの中に、電子マネーとして機能するＩＣカードの「チャージ」のサービスを選択するための選択ボタン２１が含まれている。旅客がＩＣカードのチャージサービスの選択ボタン２１を選択すると、自動券売機１０内に組み込まれたＩＣカードチャージ装置の機能部分の動作が開始する。さらにこの実施形態では、表示・タッチ操作部１２の左辺部に沿って、物理的構造を有した複数の各種の選択ボタン２２が配置されている。選択ボタン２２は、購入する切符の枚数、大人、子供等を選択するための選択ボタンである。
【００２２】
また図２において、接客部１１の領域１３では、前述した通り、ＩＣカード用挿入・放出口１４、紙幣用挿入・放出口１５、硬貨投入口１６、硬貨返却部１７、乗車券と領収書の受取り口１８等が設けられている。ＩＣカードはいわゆる電子マネーとして利用される無線ＩＣチップを内蔵したカードである。ＩＣカード用挿入・放出口１４では、通常の乗車券機能を有するＩＣカード、定期券としてのＩＣカード、その他のカード（磁気カード等）が挿入され、所定の処理の後に放出される。紙幣用挿入・放出口１５は、旅客が、例えば電子マネーであるＩＣカードの残高を増額するためにチャージ処理を試みる時に、必要な現金紙幣が投入され、チャージ処理が終了した後、釣り札（釣り紙幣）がある場合にはその紙幣を放出する。硬貨投入口１６は、個別の乗車券等を購入する等の場合であって硬貨が必要なときに硬貨が投入される。硬貨に関して釣銭が発生する場合には硬貨返却部１７に釣銭の硬貨が放出される。受取り口１８では、購入した乗車券、または受取りを希望した領収書が排出される。
【００２３】
上記の接客部１１において、利用者（旅客または乗客等）が、特に、ＩＣカードに上記のチャージ処理を行う時には、表示・タッチ操作部１２の表示画面上に表示された前述のチャージサービスに係る選択ボタン２１を選択する。その際に、さらに表示・タッチ操作部１２では、チャージ希望料金の選択ボタン（１０００円、２０００円等）が表示され、利用者はチャージ希望料金についていずれかの選択ボタンを選択する。その後、利用者は自身の所持するＩＣカードをＩＣカード用挿入・放出口１４に挿入すると共に、当該ＩＣカードへチャージを行うために必要な現金紙幣を紙幣用挿入・放出口１５に挿入する。自動券売機１０に内蔵されたＩＣカードチャージの機能部では、ＩＣカードチャージの指定指令、チャージ希望料金の指定指令、ＩＣカードの挿入確認、および現金紙幣の挿入確認に基づいて、当該ＩＣカードのメモリにチャージ希望料金に対応するデータ量を記録すると共に、決済処理を行い、釣り札がある場合には釣り札を用意する。チャージが完了したＩＣカードはＩＣカード用挿入・放出口１４から放出され、釣り札は紙幣用挿入・放出口１５から放出され、これによりＩＣカード等が利用者に戻される。また領収書が必要であるとの要求指定を受けた場合には、領収書が作成され、受取り口１８から排出される。
【００２４】
図３と図４に示されるように、自動券売機１０の内部には、各種の機能部または部品要素として、カード処理部３１、発券部３２、紙幣処理部３３、硬貨処理部３４、警報部３５、硬貨金庫３６、電源装置３７が備えられている。また自動券売機１０の外付けの装置として、プリンタ３８と回線接続部３９が設けられている。図４に示すように、硬貨金庫３６は、硬貨処理部３４の下側に配置され、硬貨の種類別に金庫容器を有している。さらに自動券売機１０の背面部には、管理用の係員表示・操作部４０が設けられている。上記のＩＣカードチャージ装置に係る機能部は、カード処理部３１によって実現されている。ただし、このカード処理部３１は、ＩＣカードを処理すると共に、通常の磁気カードの処理に対応する構成を有しているものとする。カード処理部３１、発券部３２、紙幣処理部３３、硬貨処理部３４等の各々にはマイコンによる制御処理手段が備えられている。
【００２５】
図５に、自動券売機１０の内部に設けられた各種の機能部のシステム構成を示す。
【００２６】
自動券売機１０の全体の動作を管理・統括する制御処理手段として演算処理部５１が設けられている。表示・タッチ操作部１２で入力された各種の選択指令に係る信号は演算処理部５１に入力される。演算処理部５１は、入力された各種の選択指令に対応する所定の指示信号を作成し、出力する。当該指示信号は、必要に応じて、カード処理部３１、発券部３２、紙幣処理部３３、硬貨処理部３４の各々に内蔵される制御処理手段に供給される。またＩＣカード用挿入・放出口１４、紙幣用挿入・放出口１５、硬貨投入口１６、受取り口１８等の各々には、それらの所定の箇所においてその対象物（ＩＣカード、紙幣、釣り札、硬貨等）の存在の有無を検知するためのよく知られたセンサが設けられている。それらのセンサから出力される検知信号は例えば演算処理部５１に提供される。
【００２７】
利用者によってＩＣカード用挿入・放出口１４に挿入されたＩＣカード５２は、カード搬送機構によってカード処理部３１に搬送される。カード処理部３１では、内蔵されたリーダ・ライタによって、搬送されたＩＣカード５２の内蔵メモリに対して無線等を介して必要な情報の読み書きが行われる。ＩＣカードチャージ装置の機能を実行する場合には、ＩＣカード５２の内蔵メモリに対して、指定されたチャージ希望金額に従って、対応するチャージ量を残額チャージ量に加算した状態で書き込む。カード処理部３１でチャージ処理が完了すると、ＩＣカード５２は、カード搬送機構により戻され、ＩＣカード用挿入・放出口１４から放出される。
【００２８】
利用者によって紙幣用挿入・放出口１５に挿入された入金用の少なくとも１枚の紙幣５３は、紙幣搬送機構によって紙幣処理部３３に搬送される。紙幣処理部３３では、搬送された紙幣５３を判別し、当該紙幣５３に基づく金額量を計数し、指定されたチャージ希望金額と計数した金額量とを比較し、条件の満足の有無を判断し、釣り札が必要であると判断した場合には釣り札の金額を計算し、返却するための必要な釣り札を用意する。用意された少なくとも１枚の釣り札５４は、紙幣搬送機構によって戻され、紙幣用挿入・放出口１５から放出される。
【００２９】
さらに発券部３２は、領収書の要求信号に基づき、領収書を作成し、搬送機構によって受取り口１８へ領収書を搬送し、受取り口１８から排出する。
【００３０】
なお演算処理部５１にはメモリ５５が付設され、このメモリ５５には、演算処理部５１で実行させる各種の処理プログラムが保存されると共に、演算処理部５１において所定期間の間に実行された各種の処理内容に係るデータ（操作ログや動作ログ等）が記録され保存される。
【００３１】
次に、図６および図７を参照して、自動券売機１０に組み込まれたＩＣカードチャージ装置の部分の構成とその動作を説明する。
【００３２】
図６に示すように、自動券売機１０に組み込まれたＩＣカードチャージ装置の部分は、ＩＣカード処理部３１Ａと紙幣処理部３３と発券部３２の各要素と、さらにこれらの要素の動作を制御し管理する演算処理部５１とから構成されている。ＩＣカード処理部３１Ａは、上記のカード処理部３１においてＩＣカードの処理に対応する機能部である。演算処理部５１は、利用者が、表示・タッチ操作部１２において「チャージ」のボタン２１およびチャージ希望金額のボタンを選択操作し、ＩＣカード用挿入・放出口１４にＩＣカード５２を挿入し、かつ紙幣用挿入・放出口１５に入金用の紙幣５３を挿入すると、ＩＣカード処理部３１Ａと紙幣処理部３３の各々を動作を制御して、ＩＣカード５２への「チャージ」のサービスを開始する。そして、ＩＣカード５２へのチャージが完了すると、ＩＣカード５２をＩＣカード用挿入・放出口１４から放出すると共に、紙幣処理部３３において釣り札があると判断された場合には紙幣用挿入・放出口１５から当該釣り札５４を放出する。この放出動作の際において、ＩＣカード５２の放出動作と釣り札５４の放出動作が下記の通りの順序に従うように制御される。
【００３３】
図７を参照してＩＣカードチャージの全体の動作を説明する。最初の判断ステップＳ１１では、表示・タッチ操作部１２においてボタン２１が選択されたか否かが判断される。判断ステップＳ１１でＮＯである場合には待機状態に保持される。判断ステップＳ１１でＹＥＳの場合には、次の判断ステップＳ１２でＩＣカード５２の挿入および紙幣５３の挿入があったか否かが判断される。なお判断ステップＳ１１でＹＥＳの場合には、チャージ希望金額に関する選択ボタンもいずれかの金額のボタンが操作されているものとする。判断ステップＳ１２でＮＯである場合には待機状態が維持され、ＹＥＳの場合には次の判断ステップＳ１３に移行する。
【００３４】
判断ステップＳ１３では、挿入された紙幣５３に基づく総金額がチャージ希望金額以上であるか否かが判断される。判断ステップＳ１３でＮＯである場合には、紙幣（金額）の追加が要求される（処理ステップＳ１４）。判断ステップＳ１３でＹＥＳになった場合には、次の処理ステップＳ１５でＩＣカード５２へのチャージが実行される。その後の処理ステップＳ１６ではお釣りの計算が実行される。判断ステップＳ１７では釣り札の要否が判断される。判断ステップＳ１７でＮＯである場合には、チャージが完了したＩＣカード５２をＩＣカード用挿入・放出口１４から放出する（処理ステップＳ１８）。その後、後述の判断ステップＳ２３に移行する。判断ステップＳ１７でＹＥＳの場合には、釣り札５４が用意される（処理ステップＳ１９）。
【００３５】
その後、最初に釣り札５４が紙幣用挿入・放出口１５から放出される（処理ステップＳ２０）。そして、放出された釣り札５４が利用者によって抜き取られた否かが判断される（判断ステップＳ２１）。判断ステップＳ２１でＮＯである場合には、待機状態が継続され、ＹＥＳである場合にはチャージが完了したＩＣカード５２をＩＣカード用挿入・放出口１４から放出する（処理ステップＳ２２）。なお、この際において、領収書の受取希望が出されている場合には、併せて、発券部３２が動作してその受取り口１８から領収書を排出する。その後、判断ステップＳ２３でＩＣカード５２が利用者によって抜き取られた否かが判断される。判断ステップＳ２３でＮＯである場合には待機状態に保持され、ＹＥＳの場合にはチャージ完了として処理を終了する。
【００３６】
以上の通り、本実施形態に係るＩＣカードチャージ装置の動作によれば、最初に紙幣用挿入・放出口１５から釣り札５４の放出動作を行い、当該釣り札５４が抜き取られたことを条件にチャージが完了したＩＣカード５２をＩＣカード用挿入・放出口１４から放出するようにしたことに特徴を有している。これによって、釣り札５４がある場合にその取り忘れを確実に防止することができる。
【００３７】
次に、図８と図９を参照して、本発明に係るＩＣカードチャージ装置の第２の実施形態を説明する。この実施形態でも、乗車券等を発券する機能を有する共にＩＣカードにチャージを行う機能を有した自動券売機を想定しており、当該自動券売機にＩＣカードチャージ装置の構造部および機能部が組み込まれている。但し、前述した自動券売機１０と異なる点は、ＩＣカード用の挿入・放出口と紙幣用の挿入・放出口とが１つの共通な挿入・放出口として備えられている点である。図８は前述した実施形態の図６に対応する図であり、図９は前述した実施形態の図７に対応した図である。この第２の実施形態では、１つの共通な挿入・放出口６１に対してＩＣカード５２と少なくとも１枚の紙幣５３を順次に挿入し、かつ当該挿入・放出口６１からＩＣカード５２と釣り札５４を上記の順序で順次に放出するように制御される。その他の構成は図６に示された構成と実質的に同じである。
【００３８】
図８に示されるように、１つの挿入・放出口６１が設けられており、この挿入・放出口６１と、ＩＣカード処理部３１Ａおよび紙幣処理部３３との間には、ＩＣカード／紙幣弁別部６２が設けられている。ＩＣカード／紙幣弁別部６２は、挿入・放出口６１にＩＣカード５２が挿入されたときにはＩＣカードであることを識別して当該ＩＣカード５２をＩＣカード処理部３１Ａに搬送し、紙幣５３が挿入されたときには紙幣であることを識別して当該紙幣５３を紙幣処理部３３に搬送する。ＩＣカード／紙幣弁別部６２におけるＩＣカードと紙幣の識別では、寸法（サイズまたは大きさ、厚み等）、固さ（柔軟性）、接触感、または色合い等を検知するセンサを設け、これの検知対象を識別条件として両者を識別する手段を設け、これにより弁別している。また前述した放出順序に従えば、最初に紙幣処理部３３が釣り札５４を排出するので、ＩＣカード／紙幣弁別部６２は当該釣り札５４を挿入・放出口６２から放出し、次いで、釣り札５４の抜き取りを条件にしてＩＣカード処理部３１Ａがチャージ済みのＩＣカード５２を排出するので、ＩＣカード／紙幣放出部６２は当該ＩＣカード５２を挿入・放出口６１から放出する。
【００３９】
図９のフローチャートでは、ＩＣカード５２へチャージを実行した以降のステップが示されている。それよりもステップの内容（ステップＳ１１〜Ｓ１３）は図７で説明した動作の流れと実質的に同じである。
【００４０】
処理ステップＳ１５でＩＣカード５２へのチャージが実行された後、処理ステップＳ１６ではお釣りの計算が実行される。その後の判断ステップＳ１７では釣り札の要否が判断される。判断ステップＳ１７でＮＯである場合には、チャージが完了したＩＣカード５２を挿入・放出口６１から放出し（処理ステップＳ１８）、その後、判断ステップＳ２３に移行する。判断ステップＳ１７でＹＥＳの場合には、釣り札５４が用意される（処理ステップＳ１９）。
【００４１】
その後、最初に釣り札５４が挿入・放出口６１から放出される（処理ステップＳ３１）。そして、放出された釣り札５４が利用者によって抜き取られた否かが判断される（判断ステップＳ２１）。判断ステップＳ２１でＮＯである場合には、待機状態が継続され、ＹＥＳである場合にはチャージが完了したＩＣカード５２を同じ挿入・放出口６１から放出する（処理ステップＳ３２）。なお、この際において、領収書の受取希望が出されている場合には、併せて、発券部３２が動作してその受取り口１８から領収書を排出する。その後、判断ステップＳ２３でＩＣカード５２が利用者によって抜き取られた否かが判断される。判断ステップＳ２３でＮＯである場合には待機状態に保持され、ＹＥＳの場合にはチャージ完了として処理を終了する。
【００４２】
以上の通り、第２の実施形態に係るＩＣカードチャージ装置の動作によれば、１つの共通の挿入・放出口６１により、最初に釣り札５４の放出動作を行い、当該釣り札５４が抜き取られたことを条件にチャージ済みのＩＣカード５２を放出するようにしたことに特徴を有している。これによって、釣り札５４がある場合にその取り忘れを確実に防止することができる。
【００４３】
次に、図１０と図１１を参照して、本発明に係るＩＣカードチャージ装置の第３の実施形態を説明する。この実施形態についても、乗車券等を発券する機能を有すると共にＩＣカードにチャージを行う機能を有した自動券売機を想定しており、当該自動券売機にＩＣカードチャージ装置の構造部および機能部が組み込まれている。この実施形態では、ＩＣカード用の挿入・放出口と紙幣用の挿入・放出口とが１つの共通な挿入・放出口として備えられ、かつこの共通な挿入・放出口からＩＣカードと紙幣（入金用紙幣または釣り札）が重ね合わせて同時に挿入され、または重ね合わせてまとめて同時に同時に放出される、という構成を有している。図１０は前述した各実施形態の図６、図８に対応する図であり、図１１は前述した各実施形態の図７、図９に対応した図である。この第３の実施形態では、１つの共通な挿入・放出口６１に対してＩＣカード５２と紙幣５３を重ね合わせて同時に挿入し、かつ当該挿入・放出口６１からＩＣカード５２と釣り札５４を重ね合わせてまとめて同時に放出するように制御される。その他の構成は図８に示された構成と実質的に同じである。
【００４４】
図１０に示されるように、１つの挿入・放出口６１が設けられており、この挿入・放出口６１と、ＩＣカード処理部３１Ａおよび紙幣処理部３３との間には、ＩＣカード／紙幣弁別・重合部６３が設けられている。ＩＣカード／紙幣弁別・重合部６３は、挿入・放出口６１にＩＣカード５２と紙幣５３が重ね合わせて同時に挿入されたときには、ＩＣカードと紙幣を識別して弁別し、それぞれ、ＩＣカード処理部３１Ａと紙幣処理部３３に搬送する。そして放出時には、ＩＣカード／紙幣弁別・重合部６３は、ＩＣカード処理部３１Ａから排出されたＩＣカード５２と、紙幣処理部３３から排出された釣り札５４とを重ね合わせ、挿入・放出口６１から同時に放出する。
【００４５】
図１１のフローチャートでは、ＩＣカード５２へのチャージが完了した以降のステップが示されている。それ前のステップの内容は図７等で説明した動作の流れと実質的に同じである。
【００４６】
処理ステップＳ１５でＩＣカード５２へのチャージが実行された後、処理ステップＳ１６ではお釣りの計算が実行される。その後の判断ステップＳ１７では釣り札の要否が判断される。判断ステップＳ１７でＮＯである場合には、チャージが完了したＩＣカード５２のみを挿入・放出口６１から放出し（処理ステップＳ１８）、その後、判断ステップＳ２３に移行する。判断ステップＳ１７でＹＥＳの場合には、釣り札５４が用意される（処理ステップＳ１９）。
【００４７】
その後、ＩＣカード処理部３１Ａからチャージ済みＩＣカード５２が排出され、かつ紙幣処理部３３から釣り札５４が排出される（処理ステップＳ４１）。そして、排出されたＩＣカード５２と釣り札５４とがＩＣカード／紙幣弁別・重合部６３により重ね合わされる（処理ステップＳ４２）。その後、ＩＣカード５２と釣り札５４は同時に挿入・放出口６１から放出される（処理ステップＳ４３）。なお、この際において、領収書の受取希望が出されている場合には、併せて、発券部３２が動作してその受取り口１８から領収書を排出する。その後、判断ステップＳ４４でＩＣカード５２および釣り札５４等（ＩＣカード５２のみの場合もある。）が利用者によって同時にまとめて抜き取られた否かが判断される。判断ステップＳ４４でＮＯである場合には待機状態に保持され、ＹＥＳの場合にはチャージ完了として処理を終了する。
【００４８】
以上の通り、第３の実施形態に係るＩＣカードチャージ装置の動作によれば、１つの共通の挿入・放出口６１により、ＩＣカード５２と釣り札５４とが重ねて合わされて同時にまとめて放出されることに特徴を有している。これによって、釣り札５４がある場合にその取り忘れを確実に防止することができる。
【００４９】
なお上記の各実施形態では、自動券売機１０に組み込まれたＩＣカードチャージ装置の例で説明したが、専用装置として構成されたＩＣカードチャージ装置の場合にも同様に構成することができる。
【００５０】
以上の実施形態で説明された構成、形状、大きさおよび配置関係については本発明が理解・実施できる程度に概略的に示したものにすぎない。従って本発明は、説明された実施形態に限定されるものではなく、特許請求の範囲に示される技術的思想の範囲を逸脱しない限り様々な形態に変更することができる。
【産業上の利用可能性】
【００５１】
本発明に係るＩＣカードチャージ装置は、例えば自動券売機に組み込まれ、あるいは専用装置として構成され、電子マネーであるＩＣカードの残高を充填するための装置として利用され、特にＩＣカードのチャージの際に釣り札等の紙幣がＩＣカードの放出と共に放出される場合において優先的に先に紙幣が放出され、その後にＩＣカードを放出させることにより紙幣の取り忘れを確実に防止することに利用される。
【符号の説明】
【００５２】
１０          自動券売機
１１          接客部
１２          表示・タッチ操作部
１３          領域
１４          ＩＣカード用挿入・放出口
１５          紙幣用挿入・放出口
１６          硬貨投入部
１７          硬貨返却部
１８          受取り口
２１          選択ボタン
２２          選択ボタン
３１          カード処理部
３１Ａ        ＩＣカード処理部
３２          発券部
３３          紙幣処理部
３４          硬貨処理部
３５          警報部
３６          硬貨金庫
３７          電源装置
３８          プリンタ
３９          回線接続部
４０          係員表示・操作部
５１          演算処理部
５２          ＩＣカード
５３          紙幣
５４          釣り札
５５          メモリ
６１ 挿入・放出口
６２ ＩＣカード／紙幣弁別部
６３ ＩＣカード／紙幣弁別・重合部
【図１】
0006281989.tif 000002
【図２】
0006281989.tif 000003
【図３】
0006281989.tif 000004
【図４】
0006281989.tif 000005
【図５】
0006281989.tif 000006
【図６】
0006281989.tif 000007
【図７】
0006281989.tif 000008
【図８】
0006281989.tif 000009
【図９】
0006281989.tif 000010
【図１０】
0006281989.tif 000011
【図１１】
0006281989.tif 000012